(57)【特許請求の範囲】
【請求項１】
紙葉類を扱う紙葉類処理装置であって、
紙葉類を受け入れる受入口と、
紙葉類を排出する複数の排出口と、
紙葉類の種類毎に準備され、紙葉類を収納すると共に収納順と逆の順序で繰り出す紙葉類収納部と、
紙葉類を搬送する搬送機構と、
搬送される紙葉類の種類と枚数と真偽とについての識別を行う識別部と、
ユーザとの間の情報のやり取りのためのユーザインタフェース部と、
前記紙葉類処理装置の各部を制御して、前記受入口から受け入れられた紙葉類を順に搬送しつつ識別し、１枚の真の紙葉類であると識別された正常紙葉類を紙葉類の種類に対応する前記紙葉類収納部に収納すると共に、種類または枚数を確定できないか偽の紙葉類であると識別された非正常紙葉類を前記排出口に排出する受け入れ処理と、前記ユーザインタフェース部を介した指示に応じて前記受け入れ処理において前記受入口から受け入れられた紙葉類を排出するキャンセル処理と、を行う制御部と、を備え、
前記制御部は、前記キャンセル処理の際に、各前記紙葉類収納部について、前記受け入れ処理において収納された紙葉類の枚数である受け入れ時収納枚数に基づく必要排出枚数を設定し、前記紙葉類収納部からの前記必要排出枚数の紙葉類の繰り出しと、繰り出された紙葉類の識別と、識別された正常紙葉類の第１の前記排出口への排出と、を行う排出処理を開始し、前記排出処理において前記必要排出枚数の正常紙葉類の排出完了前に非正常紙葉類が検出された場合には、非正常紙葉類と、該非正常紙葉類に続いて前記紙葉類収納部から繰り出された後続紙葉類と、を第２の前記排出口に排出し、前記必要排出枚数から、前記排出処理において前記第１の排出口へ排出された第１の排出紙葉類の枚数と前記第２の排出口へ排出された第２の排出紙葉類の枚数との合計である合計既排出枚数を差し引いた特定枚数がゼロより大きい場合には、前記必要排出枚数を前記特定枚数と同数に更新してさらなる前記排出処理を開始し、前記排出処理において非正常紙葉類が検出された場合には、前記ユーザインタフェース部を介して、前記第２の排出紙葉類の枚数を計数して入力することを要求し、入力された枚数に基づき前記合計既排出枚数を決定する、紙葉類処理装置。
【請求項２】
請求項１に記載の紙葉類処理装置であって、
前記制御部は、最初の前記排出処理の開始前に前記受け入れ時収納枚数に基づく必要排出枚数を前記受け入れ時収納枚数と同数に設定し、前記排出処理において非正常紙葉類が検出された場合には、非正常紙葉類とすべての後続紙葉類とを前記第２の排出口に排出し、前記特定枚数がゼロ以下の場合には、前記ユーザインタフェース部を介して、前記第１の排出紙葉類と、最後の前記排出処理における前記第２の排出紙葉類の内、前記受け入れ時収納枚数に基づく必要排出枚数から前記第１の排出紙葉類の枚数を差し引いた枚数の前記第２の排出紙葉類と、を返却用紙葉類とすることを要求する、紙葉類処理装置。
【請求項３】
請求項１に記載の紙葉類処理装置であって、
前記制御部は、前記受け入れ時収納枚数から前記排出処理において非正常紙葉類が検出された場合に想定される非正常紙葉類の枚数および後続紙葉類の枚数の合計を差し引いた調整排出枚数がゼロより大きい場合には、前記必要排出枚数を前記調整排出枚数と同数に設定して第１の前記排出処理を開始し、前記第１の排出処理において非正常紙葉類が検出されると、非正常紙葉類と後続紙葉類の内の正常紙葉類ではないと識別された非正常後続紙葉類とを前記第２の排出口に排出すると共に後続紙葉類の内の正常紙葉類であると識別された正常後続紙葉類を前記第１の排出口に排出する、紙葉類処理装置。
【請求項４】
請求項３に記載の紙葉類処理装置であって、
前記制御部は、前記第１の排出処理において非正常紙葉類が検出された場合であって前記特定枚数がゼロ以下の場合には、前記受け入れ時収納枚数から前記合計既排出枚数の累計を差し引いた残枚数を決定し、前記残枚数がゼロより大きい場合には、前記必要排出枚数を前記残枚数と同数に設定して第２の前記排出処理を開始し、前記第２の排出処理において非正常紙葉類が検出された場合には、非正常紙葉類とすべての後続紙葉類とを前記第２の排出口に排出すると共に、前記特定枚数がゼロ以下の場合には、前記ユーザインタフェース部を介して、前記第１の排出紙葉類と、最後の前記第２の排出処理における前記第２の排出紙葉類の内、前記受け入れ時収納枚数に基づく必要排出枚数から前記第１の排出紙葉類の枚数を差し引いた枚数の前記第２の排出紙葉類と、を返却用紙葉類とすることを要求する、紙葉類処理装置。
【請求項５】
請求項４に記載の紙葉類処理装置であって、
前記制御部は、前記残枚数がゼロ以下である場合には、前記ユーザインタフェース部を介して、前記第１の排出紙葉類と、最後の前記第１の排出処理における前記第２の排出紙葉類の内の前記受け入れ時排出枚数から前記第１の排出紙葉類の枚数を差し引いた枚数の紙葉類と、を返却用紙葉類とすることを要求する、紙葉類処理装置。
【請求項６】
請求項４または請求項５に記載の紙葉類処理装置であって、
前記制御部は、前記第１の排出処理における前記第２の排出口への紙葉類の排出回数と非正常紙葉類が検出された場合に想定される非正常紙葉類の枚数とに基づき前記第２の排出紙葉類の枚数を推定し、推定された枚数に基づき前記特定枚数を決定し、前記特定枚数がゼロ以下の場合には、前記ユーザインタフェース部を介して、前記第２の排出紙葉類の枚数を計数して入力することを要求し、入力された枚数に基づき前記残枚数を決定する、紙葉類処理装置。
【請求項７】
請求項６に記載の紙葉類処理装置であって、
前記制御部は、前記第１の排出処理において非正常紙葉類が検出された場合であって前記特定枚数がゼロより大きい場合には、前記紙葉類収納部からの紙葉類の繰り出しを停止せず、前記第１の排出処理において非正常紙葉類が検出された場合であって前記特定枚数がゼロ以下の場合には、前記紙葉類収納部からの紙葉類の繰り出しを停止する、紙葉類処理装置。
【請求項８】
請求項１に記載の紙葉類処理装置であって、さらに、
紙葉類を一時的に保持する一時保留部と、
紙葉類を収納する第２の紙葉類収納部と、を備え、
前記識別部は、紙葉類の種類と枚数と真偽と正損とについての識別を行い、
前記制御部は、前記受け入れ処理の際に、前記正常紙葉類の内の正券と識別された第１の正常紙葉類を前記紙葉類収納部に収納すると共に前記正常紙葉類の内の損券と識別された第２の正常紙葉類を前記一時保留部に収納し、前記キャンセル処理が行われない場合には前記一時保留部に収納された前記第２の正常紙葉類を前記第２の紙葉類収納部に収納し、前記キャンセル処理が行われる場合には前記一時保留部に収納された前記第２の正常紙葉類を前記排出口に排出する、紙葉類処理装置。
【請求項９】
請求項１ないし請求項８のいずれかに記載の紙葉類処理装置であって、
前記制御部は、前記キャンセル処理における最初の前記排出処理の前に、前記ユーザインタフェース部を介して、前記排出口に排出された紙葉類を返却用紙葉類として取り出すことを要求する、紙葉類処理装置。
【請求項１０】
請求項１ないし請求項９のいずれかに記載の紙葉類処理装置であって、
前記紙葉類は、紙幣と商品券と小切手と旅行小切手とのいずれか１つである、紙葉類処理装置。
【請求項１１】
紙葉類を扱う紙葉類処理装置であって、
紙葉類を受け入れる受入口と、
紙葉類を排出する排出口と、
紙葉類を一時的に保持する一時保留部と、
紙葉類の種類毎に準備され、紙葉類を収納すると共に収納順と逆の順序で繰り出す紙葉類収納部と、
紙葉類を搬送する搬送機構と、
搬送される紙葉類の種類と枚数と真偽とについての識別を行う識別部と、
ユーザとの間の情報のやり取りのためのユーザインタフェース部と、
前記紙葉類処理装置の各部を制御して、前記受入口から受け入れられた紙葉類を順に搬送しつつ識別し、１枚の真の紙葉類であると識別された正常紙葉類を紙葉類の種類に対応する前記紙葉類収納部に収納すると共に、種類または枚数を確定できないか偽の紙葉類であると識別された非正常紙葉類を前記排出口に排出する受け入れ処理と、前記ユーザインタフェース部を介した指示に応じて前記受け入れ処理において前記受入口から受け入れられた紙葉類を排出するキャンセル処理と、を行う制御部と、を備え、
前記制御部は、前記キャンセル処理の際に、各前記紙葉類収納部について、前記受け入れ処理において収納された紙葉類の枚数である受け入れ時収納枚数に基づき必要排出枚数を設定し、前記紙葉類収納部からの前記必要排出枚数の紙葉類の繰り出しと、繰り出された紙葉類の識別と、識別された正常紙葉類の前記排出口への排出と、を行う排出処理を開始し、前記排出処理において前記必要排出枚数の正常紙葉類の排出完了前に非正常紙葉類が検出された場合には、非正常紙葉類と、該非正常紙葉類に続いて前記紙葉類収納部から繰り出された後続紙葉類と、を前記一時保留部に収納し、前記必要排出枚数から、前記排出処理において前記排出口へ排出された紙葉類の枚数と前記一時保留部に収納された紙葉類の枚数との合計である合計既排出枚数を差し引いた特定枚数がゼロより大きい場合には、前記必要排出枚数を前記特定枚数と同数に更新してさらなる前記排出処理を開始し、前記排出処理において前記必要排出枚数の正常紙葉類の排出が完了した際に前記一時保留部に収納された紙葉類を前記排出口に排出する、紙葉類処理装置。
【請求項１２】
紙葉類を受け入れる受入口と、紙葉類を排出する複数の排出口と、紙葉類の種類毎に準備され紙葉類を収納すると共に収納順と逆の順序で繰り出す紙葉類収納部と、紙葉類を搬送する搬送機構と、搬送される紙葉類の種類と枚数と真偽とについての識別を行う識別部と、前記紙葉類処理装置の各部を制御する制御部と、を有する紙葉類処理装置と、前記紙葉類処理装置を制御する制御装置と、を備える紙葉類処理システムであって、
前記制御部および前記制御装置は、前記紙葉類処理装置の各部を制御して、前記受入口から受け入れられた紙葉類を順に搬送しつつ識別し、１枚の真の紙葉類であると識別された正常紙葉類を紙葉類の種類に対応する前記紙葉類収納部に収納すると共に、種類または枚数を確定できないか偽の紙葉類であると識別された非正常紙葉類を前記排出口に排出する受け入れ処理と、指示に応じて前記受け入れ処理において前記受入口から受け入れられた紙葉類を排出するキャンセル処理と、を行い、前記キャンセル処理の際に、各前記紙葉類収納部について、前記受け入れ処理において収納された紙葉類の枚数である受け入れ時収納枚数に基づき必要排出枚数を設定し、前記紙葉類収納部からの前記必要排出枚数の紙葉類の繰り出しと、繰り出された紙葉類の識別と、識別された正常紙葉類の第１の前記排出口への排出と、を行う排出処理を開始し、前記排出処理において前記必要排出枚数の正常紙葉類の排出完了前に非正常紙葉類が検出された場合には、非正常紙葉類と、該非正常紙葉類に続いて前記紙葉類収納部から繰り出された後続紙葉類と、を第２の前記排出口に排出し、前記必要排出枚数から、前記排出処理において前記第１の排出口へ排出された第１の排出紙葉類の枚数と前記第２の排出口へ排出された第２の排出紙葉類の枚数との合計である合計既排出枚数を差し引いた特定枚数がゼロより大きい場合には、前記必要排出枚数を前記特定枚数と同数に更新してさらなる前記排出処理を開始する、紙葉類処理システム。
【発明の詳細な説明】
【技術分野】
【０００１】
本発明は、紙幣等の紙葉類を取り扱う紙葉類処理装置および紙葉類処理システムに関する。
【背景技術】
【０００２】
金融機関の窓口等において、係員（オペレータ）が操作して紙幣を処理する係員用紙幣処理装置が用いられている。係員は、係員用紙幣処理装置を用いて、顧客から受け取った紙幣の入金処理等の取引処理を行う。従来、係員用紙幣処理装置を用いた入金処理では、入金口に投入された紙幣の内、識別部により受け入れ不可（リジェクトすべき）と判定された紙幣はリジェクト口へ搬送され、受け入れ可能（リジェクトすべきでない）と判定された紙幣は一時保留部に収納され、入金処理確定の指示があると、一時保留部に収納された紙幣が金種別の紙幣収納庫（スタッカ）に収納され、入金処理確定の指示ではなく入金キャンセル指示があると、一時保留部に収納された紙幣が出金口に搬送される（例えば、特許文献１〜３参照）。
【０００３】
他方、金種別紙幣収納庫からの出金の際に、識別部によりリジェクトすべきと判定された紙幣は一時保留部に収納され、リジェクトすべきでないと判定された紙幣は出金口に搬送され、所定額の出金完了後に、一時保留部に収納された紙幣が金種別紙幣収納庫に戻される紙幣処理装置が知られている（例えば、特許文献４参照）。
【先行技術文献】
【特許文献】
【０００４】
【特許文献１】特開２００８−１３４８６３号公報
【特許文献２】特開２００８−３９８８号公報
【特許文献３】特開２００９−１２９３８５号公報
【特許文献４】特開２０１０−２０７２０号公報
【発明の概要】
【発明が解決しようとする課題】
【０００５】
上記従来の係員用紙幣処理装置を用いた入金処理では、入金口に投入された紙幣が、金種別紙幣収収納庫と比較して収納容量の小さい一時保留部に一端収納され、入金処理確定の指示を待って金種別紙幣収納庫に収納されるため、一回の入金処理において取扱可能な紙幣の枚数が制限されると共に、紙幣の搬送経路が長くなって処理時間が長くなるという問題があった。他方、係員用紙幣処理装置を用いた入金処理において、投入された紙幣を一時保留部に収納することなく金種別紙幣収納庫に直接に収納するものとすると、一回の入金処理において取扱可能な紙幣の枚数を増大させることができると共に処理時間を短縮することができる。しかし、この場合において、入金キャンセル指示があると、金種別紙幣収納庫からの出金処理が行われることとなる。上記従来の出金処理では、識別部によりリジェクトすべきと判定された紙幣が発生すると、当該リジェクトされた紙幣は一時保留部に収納された後、金種別紙幣収納庫に戻されるため、返却される紙幣の少なくとも一部は入金処理において投入された紙幣とは異なる紙幣となる。そのため、「取引不成立の場合には預かった紙幣そのものを返却する」という金融機関の基本的な考え方に反する事態が発生するおそれがある。
【０００６】
なお、このような課題は、紙幣を取り扱う紙幣処理装置に限らず、小切手や商品券を含む紙葉類を取り扱う紙葉類処理装置および紙葉類処理システムにおいて共通の課題であった。
【０００７】
本発明は、上記の課題を解決するためになされたものであり、一回の受け入れ処理における取扱可能な紙葉類の枚数の増加および処理時間の短縮を実現すると共に、受け入れ処理のキャンセルの際に、受け入れられた紙葉類そのものを返却することが可能な紙葉類処理装置および紙葉類処理システムを提供することを目的とする。
【課題を解決するための手段】
【０００８】
上記課題の少なくとも一部を解決するために、本発明は、以下の形態または適用例として実現することが可能である。
【０００９】
［適用例１］紙葉類を扱う紙葉類処理装置であって、
紙葉類を受け入れる受入口と、
紙葉類を排出する複数の排出口と、
紙葉類の種類毎に準備され、紙葉類を収納すると共に収納順と逆の順序で繰り出す紙葉類収納部と、
紙葉類を搬送する搬送機構と、
搬送される紙葉類の種類と枚数と真偽とについての識別を行う識別部と、
ユーザとの間の情報のやり取りのためのユーザインタフェース部と、
前記紙葉類処理装置の各部を制御して、前記受入口から受け入れられた紙葉類を順に搬送しつつ識別し、１枚の真の紙葉類であると識別された正常紙葉類を紙葉類の種類に対応する前記紙葉類収納部に収納すると共に、種類または枚数を確定できないか偽の紙葉類であると識別された非正常紙葉類を前記排出口に排出する受け入れ処理と、前記ユーザインタフェース部を介した指示に応じて前記受け入れ処理において前記受入口から受け入れられた紙葉類を排出するキャンセル処理と、を行う制御部と、を備え、
前記制御部は、前記キャンセル処理の際に、各前記紙葉類収納部について、前記受け入れ処理において収納された紙葉類の枚数である受け入れ時収納枚数に基づき必要排出枚数を設定し、前記紙葉類収納部からの前記必要排出枚数の紙葉類の繰り出しと、繰り出された紙葉類の識別と、識別された正常紙葉類の第１の前記排出口への排出と、を行う排出処理を開始し、前記排出処理において前記必要排出枚数の正常紙葉類の排出完了前に非正常紙葉類が検出された場合には、非正常紙葉類と、該非正常紙葉類に続いて前記紙葉類収納部から繰り出された後続紙葉類と、を第２の前記排出口に排出し、前記必要排出枚数から、前記排出処理において前記第１の排出口へ排出された第１の排出紙葉類の枚数と前記第２の排出口へ排出された第２の排出紙葉類の枚数との合計である合計既排出枚数を差し引いた特定枚数がゼロより大きい場合には、前記必要排出枚数を前記特定枚数と同数に更新してさらなる前記排出処理を開始する、紙葉類処理装置。
【００１０】
この紙葉類処理装置は、受け入れ処理の際に、受入口から受け入れられた紙葉類を順に搬送しつつ識別し、１枚の真の紙葉類であると識別された正常紙葉類を紙葉類の種類に対応する紙葉類収納部に収納すると共に、種類または枚数を確定できないか偽の紙葉類であると識別された非正常紙葉類を排出口に排出する。そのため、この紙葉類処理装置では、受入口から受け入れられた紙葉類を収納容量の小さい一時保留部に一端収納した後に確定指示を待って紙葉類収納部に収納する場合と比較して、一回の受け入れ処理における取扱可能な紙葉類の枚数を増大させることができると共に処理時間を短縮することができる。また、この紙葉類処理装置は、キャンセル処理の際に、各紙葉類収納部について、受け入れ時収納枚数に基づき必要排出枚数を設定し、紙葉類収納部からの必要排出枚数の紙葉類の繰り出しと、繰り出された紙葉類の識別と、識別された正常紙葉類の第１の前記排出口への排出と、を行う排出処理を開始し、排出処理において必要排出枚数の正常紙葉類の排出完了前に非正常紙葉類が検出された場合には、非正常紙葉類と後続紙葉類とを第２の排出口に排出し、必要排出枚数から合計既排出枚数を差し引いた特定枚数がゼロより大きい場合には、必要排出枚数を特定枚数と同数に更新してさらなる排出処理を開始する。そのため、この紙葉類処理装置では、非正常紙葉類が検出された場合に、必要排出枚数から合計既排出枚数を差し引いた特定枚数に応じて、さらなる排出処理が開始されるか否かが決定されるため、排出される紙葉類が受け入れ処理において受け入れられた紙葉類とは異なる紙葉類となる事態を回避し、受け入れ処理において受け入れられた紙葉類そのものを返却することができる。
【００１１】
［適用例２］適用例１に記載の紙葉類処理装置であって、
前記制御部は、前記排出処理において非正常紙葉類が検出された場合には、前記ユーザインタフェース部を介して、前記第２の排出紙葉類の枚数を計数して入力することを要求し、入力された枚数に基づき前記合計既排出枚数を決定する、紙葉類処理装置。
【００１２】
この紙葉類処理装置では、入力された枚数に基づき合計既排出枚数を決定することができ、決定された合計既排出枚数を用いて算出された特定枚数に基づき、さらなる排出処理を開始すべきか否かを判定することができる。
【００１３】
［適用例３］適用例１または適用例２に記載の紙葉類処理装置であって、
前記制御部は、最初の前記排出処理の開始前に前記必要排出枚数を前記受け入れ時収納枚数と同数に設定し、前記排出処理において非正常紙葉類が検出された場合には、非正常紙葉類とすべての後続紙葉類とを前記第２の排出口に排出し、前記特定枚数がゼロ以下の場合には、前記ユーザインタフェース部を介して、前記第１の排出紙葉類と、最後の前記排出処理における前記第２の排出紙葉類の内、前記必要排出枚数から前記第１の排出紙葉類の枚数を差し引いた枚数の前記第２の排出紙葉類と、を返却用紙葉類とすることを要求する、紙葉類処理装置。
【００１４】
この紙葉類処理装置では、キャンセル処理の際に、紙葉類収納部から必要以上の紙葉類が排出された場合であっても受け入れ処理において受け入れられた紙葉類のみを返却用の紙葉類とすることができる。また、紙葉類収納部からの受け入れ処理において収納された紙葉類以外の紙葉類の排出を最小限に抑制することができる。
【００１５】
［適用例４］適用例１または適用例２に記載の紙葉類処理装置であって、
前記制御部は、前記受け入れ時収納枚数から前記排出処理において非正常紙葉類が検出された場合に想定される非正常紙葉類の枚数および後続紙葉類の枚数の合計を差し引いた調整排出枚数がゼロより大きい場合には、前記必要排出枚数を前記調整排出枚数と同数に設定して第１の前記排出枚数を開始し、前記第１の排出処理において非正常紙葉類が検出されると、非正常紙葉類と後続紙葉類の内の正常紙葉類ではないと識別された非正常後続紙葉類とを前記第２の排出口に排出すると共に後続紙葉類の内の正常紙葉類であると識別された正常後続紙葉類を前記第１の排出口に排出する、紙葉類処理装置。
【００１６】
この紙葉類処理装置では、排出処理において非正常紙葉類が検出されても、その時点での後続紙葉類はすべて受け入れ処理において紙葉類収納部に収納された紙葉類であると想定される。そのため、後続紙葉類の内の非正常後続紙葉類のみを第２の排出口に排出し、後続紙葉類の内の正常後続紙葉類は第１の排出口に排出することにより、係員による計数の対象となる紙葉類の枚数を減らすことができ、処理時間の短縮および処理精度の向上を図ることができる。
【００１７】
［適用例５］適用例４に記載の紙葉類処理装置であって、
前記制御部は、前記第１の排出処理において非正常紙葉類が検出された場合であって前記特定枚数がゼロ以下の場合には、前記受け入れ時収納枚数から前記合計既排出枚数の累計を差し引いた残枚数を決定し、前記残枚数がゼロより大きい場合には、前記必要排出枚数を前記残枚数と同数に設定して第２の前記排出処理を開始し、前記第２の排出処理において非正常紙葉類が検出された場合には、非正常紙葉類とすべての後続紙葉類とを前記第２の排出口に排出すると共に、前記特定枚数がゼロ以下の場合には、前記ユーザインタフェース部を介して、前記第１の排出紙葉類と、最後の前記第２の排出処理における前記第２の排出紙葉類の内、前記必要排出枚数から前記第１の排出紙葉類の枚数を差し引いた枚数の前記第２の排出紙葉類と、を返却用紙葉類とすることを要求する、紙葉類処理装置。
【００１８】
この紙葉類処理装置では、キャンセル処理の最初に必要排出枚数を調整排出枚数と同数に設定して排出処理を実行しても、最終的に、受け入れ処理において紙葉類収納部に収納された紙葉類のすべてを排出・返却することができる。
【００１９】
［適用例６］適用例５に記載の紙葉類処理装置であって、
前記制御部は、前記残枚数がゼロ以下である場合には、前記ユーザインタフェース部を介して、前記第１の排出紙葉類と、最後の前記第１の排出処理における前記第２の排出紙葉類の内の前記受け入れ時排出枚数から前記第１の排出紙葉類の枚数を差し引いた枚数の紙葉類と、を返却用紙葉類とすることを要求する、紙葉類処理装置。
【００２０】
この紙葉類処理装置では、紙葉類収納部から必要以上の紙葉類が排出された場合であっても受け入れ処理において紙葉類収納部に収納された紙葉類のみを返却用紙葉類とすることができる。また、紙葉類収納部からの受け入れ処理において収納された紙葉類以外の紙葉類の排出を最小限に抑制することができる。
【００２１】
［適用例７］適用例５または適用例６に記載の紙葉類処理装置であって、
前記制御部は、前記第１の排出処理における前記第２の排出口への紙葉類の排出回数と非正常紙葉類が検出された場合に想定される非正常紙葉類の枚数とに基づき前記第２の排出紙葉類の枚数を推定し、推定された枚数に基づき前記特定枚数を決定し、前記特定枚数がゼロ以下の場合には、前記ユーザインタフェース部を介して、前記第２の排出紙葉類の枚数を計数して入力することを要求し、入力された枚数に基づき前記残枚数を決定する、紙葉類処理装置。
【００２２】
この紙葉類処理装置では、係員による第２の排出口に排出された紙葉類の枚数の計数回数を最小限に減らすことができ、処理時間の短縮および処理精度の向上を図ることができる。
【００２３】
［適用例８］適用例７に記載の紙葉類処理装置であって、
前記制御部は、前記第１の排出処理において非正常紙葉類が検出された場合であって前記特定枚数がゼロより大きい場合には、前記紙葉類収納部からの紙葉類の繰り出しを停止せず、前記第１の排出処理において非正常紙葉類が検出された場合であって前記特定枚数がゼロ以下の場合には、前記紙葉類収納部からの紙葉類の繰り出しを停止する、紙葉類処理装置。
【００２４】
この紙葉類処理装置では、紙葉類の繰り出し停止回数を最小限に減らすことができ、処理時間の短縮および処理精度の向上を図ることができる。
【００２５】
［適用例９］適用例１に記載の紙葉類処理装置であって、さらに、
紙葉類を一時的に保持する一時保留部と、
紙葉類を収納する第２の紙葉類収納部と、を備え、
前記識別部は、紙葉類の種類と枚数と真偽と正損とについての識別を行い、
前記制御部は、前記受け入れ処理の際に、前記正常紙葉類の内の正券と識別された第１の正常紙葉類を前記紙葉類収納部に収納すると共に前記正常紙葉類の内の損券と識別された第２の正常紙葉類を前記一時保留部に収納し、前記キャンセル処理が行われない場合には前記一時保留部に収納された前記第２の正常紙葉類を前記第２の紙葉類収納部に収納し、前記キャンセル処理が行われる場合には前記一時保留部に収納された前記第２の正常紙葉類を前記排出口に排出する、紙葉類処理装置。
【００２６】
この紙葉類処理装置では、受け入れ処理の際に、正常紙葉類を正券と損券とに分離して収納することができ、キャンセル処理が行われない場合には、損券を正券とは分離して第２の紙葉類収納部に回収することができる。
【００２７】
［適用例１０］適用例１ないし適用例９のいずれかに記載の紙葉類処理装置であって、
前記制御部は、前記キャンセル処理における最初の前記排出処理の前に、前記ユーザインタフェース部を介して、前記排出口に排出された紙葉類を返却用紙葉類として取り出すことを要求する、紙葉類処理装置。
【００２８】
この紙葉類処理装置では、キャンセル処理における最初の排出処理の前に排出口を空の状態にすることができ、最小限の数の排出口を用いてキャンセル処理を実現することができる。
【００２９】
［適用例１１］適用例１ないし適用例１０のいずれかに記載の紙葉類処理装置であって、
前記紙葉類は、紙幣と商品券と小切手と旅行小切手とのいずれか１つである、紙葉類処理装置。
【００３０】
この紙葉類処理装置では、紙幣と商品券と小切手と旅行小切手とのいずれか１つの紙葉類を取り扱う紙葉類処理装置において、一回の受け入れ処理における取扱可能な紙葉類の枚数の増加および処理時間の短縮を実現すると共に、受け入れ処理のキャンセルの際に、受け入れられた紙葉類そのものを返却することができる。
【００３１】
［適用例１２］紙葉類を扱う紙葉類処理装置であって、
紙葉類を受け入れる受入口と、
紙葉類を排出する排出口と、
紙葉類を一時的に保持する一時保留部と、
紙葉類の種類毎に準備され、紙葉類を収納すると共に収納順と逆の順序で繰り出す紙葉類収納部と、
紙葉類を搬送する搬送機構と、
搬送される紙葉類の種類と枚数と真偽とについての識別を行う識別部と、
ユーザとの間の情報のやり取りのためのユーザインタフェース部と、
前記紙葉類処理装置の各部を制御して、前記受入口から受け入れられた紙葉類を順に搬送しつつ識別し、１枚の真の紙葉類であると識別された正常紙葉類を紙葉類の種類に対応する前記紙葉類収納部に収納すると共に、種類または枚数を確定できないか偽の紙葉類であると識別された非正常紙葉類を前記排出口に排出する受け入れ処理と、前記ユーザインタフェース部を介した指示に応じて前記受け入れ処理において前記受入口から受け入れられた紙葉類を排出するキャンセル処理と、を行う制御部と、を備え、
前記制御部は、前記キャンセル処理の際に、各前記紙葉類収納部について、前記受け入れ処理において収納された紙葉類の枚数である受け入れ時収納枚数に基づき必要排出枚数を設定し、前記紙葉類収納部からの前記必要排出枚数の紙葉類の繰り出しと、繰り出された紙葉類の識別と、識別された正常紙葉類の前記排出口への排出と、を行う排出処理を開始し、前記排出処理において前記必要排出枚数の正常紙葉類の排出完了前に非正常紙葉類が検出された場合には、非正常紙葉類と、該非正常紙葉類に続いて前記紙葉類収納部から繰り出された後続紙葉類と、を前記一時保留部に収納し、前記必要排出枚数から、前記排出処理において前記排出口へ排出された紙葉類の枚数と前記一時保留部に収納された紙葉類の枚数との合計である合計既排出枚数を差し引いた特定枚数がゼロより大きい場合には、前記必要排出枚数を前記特定枚数と同数に更新してさらなる前記排出処理を開始し、前記排出処理において前記必要排出枚数の正常紙葉類の排出が完了した際に前記一時保留部に収納された紙葉類を前記排出口に排出する、紙葉類処理装置。
【００３２】
この紙葉類処理装置では、１つのみの排出口を有する紙葉類処理装置であっても、正常紙葉類と非正常紙葉類とを分離して収納・排出することができ、一回の受け入れ処理における取扱可能な紙葉類の枚数の増加および処理時間の短縮を実現すると共に、受け入れ処理のキャンセルの際に、受け入れられた紙葉類そのものを返却することができる。
【００３３】
なお、本発明は、種々の態様で実現することが可能であり、例えば、紙葉類処理装置、紙葉類処理装置を制御する制御装置、紙葉類処理装置および紙葉類処理装置を制御する制御装置を含む紙葉類処理システム、これらの装置・システムの制御方法、等の態様で実現することができる。
【図面の簡単な説明】
【００３４】
【図１】本発明の第１実施例における紙葉類処理システムとしての紙幣処理システム４０の構成を概略的に示す説明図である。
【図２】紙幣処理システム４０の機能的な構成を示す説明図である。
【図３】紙幣処理装置１０の紙幣処理機構１７０に関する構成を示す説明図である。
【図４】第１実施例の紙幣処理システム４０による入金処理の流れを示すフローチャートである。
【図５】第１実施例の紙幣処理システム４０による入金キャンセル処理の流れを示すフローチャートである。
【図６】第２実施例における紙幣処理装置１０の紙幣処理機構１７０に関する構成を示す説明図である。
【図７】第２実施例の紙幣処理システム４０による入金処理の流れを示すフローチャートである。
【図８】第２実施例の紙幣処理システム４０による入金キャンセル処理の流れを示すフローチャートである。
【図９】第３実施例の紙幣処理システム４０による入金キャンセル処理の流れを示すフローチャートである。
【図１０】第３実施例の紙幣処理システム４０による入金キャンセル処理の流れを示すフローチャートである。
【図１１】第４実施例の紙幣処理システム４０による入金キャンセル処理の流れを示すフローチャートである。
【図１２】第５実施例の紙幣処理システム４０による入金キャンセル処理の流れを示すフローチャートである。
【図１３】変形例における紙幣処理装置１０の構成を示す説明図である。
【発明を実施するための形態】
【００３５】
次に、本発明の実施の形態を実施例に基づいて以下の順序で説明する。
Ａ．第１実施例：
Ａ−１．システム構成：
Ａ−２．入金処理：
Ａ−３．入金キャンセル処理：
Ｂ．第２実施例：
Ｃ．第３実施例：
Ｄ．第４実施例：
Ｅ．第５実施例：
Ｆ．変形例：
【００３６】
Ａ．第１実施例：
Ａ−１．システム構成：
図１は、本発明の第１実施例における紙葉類処理システムとしての紙幣処理システム４０の構成を概略的に示す説明図である。紙幣処理システム４０は、銀行等の金融機関の窓口に設置され、金融機関の係員（オペレータ）の操作に従い入金処理等の取引処理を行う。紙幣処理システム４０は、紙葉類処理装置としての紙幣処理装置１０と、伝送線３０を介して紙幣処理装置１０に接続された端末装置２０と、を備えている。係員は、端末装置２０を介して紙幣処理装置１０の操作を行う。第１実施例の紙幣処理システム４０では、２つの端末装置２０が１つの紙幣処理装置１０を共用している。紙幣処理装置１０と端末装置２０との関係は、１対１であってもよいし、１対３以上であってもよい。
【００３７】
図２は、紙幣処理システム４０の機能的な構成を示す説明図である。なお、図２には、２つの端末装置２０の内の１つのみを示している。紙幣処理装置１０は、紙幣処理装置１０の各部を制御する制御部１１０と、操作部１５０と、表示部１６０と、紙幣処理機構１７０と、通信インタフェース１８０と、を有している。通信インタフェース１８０は、伝送線３０を介して端末装置２０との間で通信を行う。
【００３８】
紙幣処理装置１０の制御部１１０は、ＣＰＵとプログラムやデータ等を記憶する記憶部とを有し、ＣＰＵが記憶部に記憶されたプログラムを読み出して実行することにより、紙幣処理装置１０の各部を制御する。制御部１１０は、２つの端末装置２０の間での排他制御や通信インタフェース１８０を介した端末装置２０との通信、保守員による保守処理等を行う業務処理部１２０と、紙幣処理機構１７０等を制御して紙幣に関する処理を行う紙幣処理部１３０と、を含んでいる。紙幣処理部１３０は、後述の入金処理を行う入金処理部１３２と、入金キャンセル処理を行うキャンセル処理部１３４と、を含んでいる。
【００３９】
紙幣処理装置１０の操作部１５０および表示部１６０は、係員との間の情報のやり取りのためのユーザインタフェースとして機能する。操作部１５０は、例えばボタンやタッチパネルにより構成される。表示部１６０は、例えば液晶ディスプレイにより構成される。なお、紙幣処理装置１０は、必ずしもユーザインタフェースとして操作部１５０や表示部１６０を有している必要はなく、また、ユーザインタフェースとしてランプやスピーカーを有しているとしてもよい。
【００４０】
紙幣処理機構１７０は、紙幣を処理する機械的機構である。図３は、紙幣処理装置１０の紙幣処理機構１７０に関する構成を示す説明図である。図３に示すように、紙幣処理装置１０は、紙幣を受け入れる入金口１７３と、入金口１７３における紙幣の有無を検出するセンサ１７４と、紙幣を排出する第１の出金口１７１および第２の出金口１７２と、紙幣の種類毎に準備された金種別紙幣収納庫１７６と、紙幣処理装置１０の各部間において紙幣を搬送する搬送路と搬送路における紙幣の搬送方向を切り替えるゲート１７８とを含む搬送機構１７５と、搬送機構１７５により搬送される紙幣の種類と枚数と真偽とについての識別を行う識別部１７７と、を有している。
【００４１】
本実施例の紙幣処理装置１０は、４種類の紙幣を取り扱う装置であり、４つの金種別紙幣収納庫１７６（１７６Ａ，１７６Ｂ，１７６Ｃ，１７６Ｄ）を有している。各金種別紙幣収納庫１７６は、紙幣を入出金可能な状態で搬送路と接続されており、搬送路から紙幣を受け入れて収納すると共に、紙幣を繰り出して搬送路上に送り出す。金種別紙幣収納庫１７６は、搬送路との接続位置から見て奥側から手前側に向けて順に紙幣を並べて収納し、手前側から奥側に向けて順に紙幣を１枚ずつ繰り出す。従って、金種別紙幣収納庫１７６からの紙幣の繰り出しは、金種別紙幣収納庫１７６への紙幣の収納順序と逆の順序で（金種別紙幣収納庫１７６への収納順がより後である紙幣ほど先に繰り出されるように）実行される。なお、金種別紙幣収納庫１７６は、紙幣処理装置１０において取り扱われる紙幣の種類の数だけ準備されればよい。
【００４２】
端末装置２０（図２）は、端末装置２０の各部を制御する制御部２１０と、操作部２５０と、表示部２６０と、通信インタフェース２８０と、を有している。通信インタフェース２８０は、伝送線３０を介して紙幣処理装置１０との間で通信を行う。
【００４３】
端末装置２０の制御部２１０は、ＣＰＵとプログラムやデータ等を記憶する記憶部とを有し、ＣＰＵが記憶部に記憶されたプログラムを読み出して実行することにより、端末装置２０の各部を制御する。制御部２１０は、紙幣処理装置１０を制御する紙幣処理装置制御部２３０を含んでいる。
【００４４】
端末装置２０の操作部２５０および表示部２６０は、係員との間の情報のやり取りのためのユーザインタフェースとして機能する。操作部２５０は、例えばキーボードやマウスにより構成される。表示部２６０は、例えば液晶ディスプレイにより構成される。
【００４５】
Ａ−２．入金処理：
図４は、第１実施例の紙幣処理システム４０による入金処理の流れを示すフローチャートである。入金処理は、紙幣処理装置１０の入金口１７３に投入された紙幣を紙幣処理装置１０内に収納する処理である。入金処理は、紙幣処理装置１０の入金処理部１３２と端末装置２０の紙幣処理装置制御部２３０との制御の下、紙幣処理装置１０および端末装置２０の各部によって実行される。本実施例の入金処理は、顧客から紙幣を受け取った係員が、紙幣を入金口１７３に投入し、端末装置２０の操作部２５０を介して処理開始を指示したときに開始される。
【００４６】
紙幣処理装置１０の入金処理部１３２（図２）は、端末装置２０からの開始指示を受領すると（ステップＳ１１０）、入金口１７３に投入された紙幣を順に繰り出し、搬送機構１７５によって搬送しつつ識別部１７７によって識別し、１枚の真の紙幣であると識別された正常紙幣を紙幣の種類に対応する金種別紙幣収納庫１７６に収納し、金種または枚数を確定できないか偽の紙幣であると識別された非正常紙幣を予め定められた一方の出金口（第１の出金口１７１または第２の出金口１７２）に排出する（ステップＳ１２０）。本実施例では、非正常紙幣は第１の出金口１７１に排出されるものとする。この紙幣の繰り出し、搬送、識別、収納の処理は、入金口１７３内の紙幣がすべてなくなったことがセンサ１７４によって検出されるまで続けられる。
【００４７】
センサ１７４によって入金口１７３内の紙幣がすべてなくなったことが検出されると、その事実を示す情報が端末装置２０に送られる。端末装置２０の紙幣処理装置制御部２３０は、表示部２６０を介して、係員に入金確定指示を要求する（ステップＳ１３０）。例えば、紙幣処理装置制御部２３０は、以下の選択肢（１）および（２）を表示部２６０に表示し、いずれか一方の選択を求める。
（１）出金口に紙幣がある場合はこれを顧客に返却し、金種別紙幣収納庫１７６に収納された金額で入金を確定させて取引を終了する。
（２）入金取引をキャンセルする。
【００４８】
係員が操作部２５０を介して上記（１）の入金確定を選択した場合には（ステップＳ１４０：ＮＯ）、紙幣処理装置制御部２３０は、金種別紙幣収納庫１７６に収納された金額の入金を確定させ（ステップＳ１５０）、入金処理を終了する。係員が上記（２）の入金キャンセルを選択した場合には（ステップＳ１４０：ＹＥＳ）、以下に説明する入金キャンセル処理が開始される。
【００４９】
Ａ−３．入金キャンセル処理：
図５は、第１実施例の紙幣処理システム４０による入金キャンセル処理の流れを示すフローチャートである。入金キャンセル処理は、入金処理（図４）において入金口１７３から紙幣処理装置１０内に受け入れられた紙幣そのものを返却のために排出する処理である。入金キャンセル処理は、紙幣処理装置１０のキャンセル処理部１３４と端末装置２０の紙幣処理装置制御部２３０との制御の下、紙幣処理装置１０および端末装置２０の各部によって実行される。
【００５０】
まず、紙幣処理装置制御部２３０は、表示部２６０を介して、第１の出金口１７１に排出された紙幣（すなわち、入金処理において金種または枚数を確定できないか偽の紙幣であると識別された非正常紙幣）を返却用紙幣として取り出すことを係員に要求する（ステップＳ２１０）。この要求に応じて係員が紙幣を取り出すと、第１の出金口１７１は空の状態となる。また、第２の出金口１７２は、元々、空の状態である。
【００５１】
次に、紙幣処理装置制御部２３０は、各金種別紙幣収納庫１７６について、入金処理において収納された紙幣の枚数（以下、「入金処理時収納枚数」とも呼ぶ）Ｍ（ｘ）を、紙幣処理装置１０から取得する（ステップＳ２２０）。ここで、ｘ（ｘ＝Ａ，Ｂ，Ｃ，Ｄ）は金種別紙幣収納庫１７６を識別する記号である。例えば、Ｍ（Ａ）は、入金処理において金種別紙幣収納庫１７６Ａに収納された紙幣の枚数である。
【００５２】
次に、紙幣処理装置制御部２３０は、１つの金種別紙幣収納庫１７６を選択し（ステップＳ２３０）、選択された金種別紙幣収納庫１７６について、入金処理時収納枚数Ｍ（ｘ）に基づき必要排出枚数Ｎを設定する（ステップＳ２４０）。本実施例では、必要排出枚数Ｎは、入金処理時収納枚数Ｍ（ｘ）と同数に設定される。
【００５３】
次に、紙幣処理装置制御部２３０は、キャンセル処理部１３４に対して、選択された金種別紙幣収納庫１７６からの必要排出枚数Ｎの紙幣の繰り出しと、繰り出された紙幣の識別部１７７による識別と、識別された正常紙幣（１枚の真の紙幣であると識別された紙幣）の第１の出金口１７１への排出と、を含む排出処理の開始を指示する（ステップＳ２５０）。キャンセル処理部１３４は、指示に応じて、紙幣処理装置１０の各部を制御して排出処理を開始する。排出処理の際には、キャンセル処理部１３４は、第１の出金口１７１に排出される正常紙幣の枚数を管理する。
【００５４】
排出処理において、非正常紙幣（金種または枚数を確定できないか偽の紙幣であると識別された紙幣）が検出されることなく必要排出枚数Ｎの正常紙幣の第１の出金口１７１への排出が完了した場合には（ステップＳ３４０）、第１の出金口１７１に排出された紙幣は、すべて、入金処理において受け入れられた紙幣そのものである。従って、この場合には、端末装置２０の紙幣処理装置制御部２３０は、表示部２６０を介して、第１の出金口１７１に排出された紙幣を返却用紙幣とすることを係員に要求する（ステップＳ３５０）。
【００５５】
一方、排出処理において、必要排出枚数Ｎの正常紙幣の第１の出金口１７１への排出完了前に、例えば金種別紙幣収納庫１７６からの繰り出しにおいて複数枚の紙幣が重なって繰り出され、重なったまま識別部１７７に至った場合のように、識別部１７７によって非正常紙幣が検出された場合には（ステップＳ２６０：ＹＥＳ）、検出された非正常紙幣を第１の出金口１７１に搬送すると第１の出金口１７１に排出した紙幣の枚数が不明となるため、キャンセル処理部１３４は、金種別紙幣収納庫１７６からの紙幣の繰り出しを停止すると共に（ステップＳ２７０）、検出された非正常紙幣とその後続紙幣とを第２の出金口１７２に排出する（ステップＳ２８０）。ここで、後続紙幣とは、非正常紙幣に続いて既に金種別紙幣収納庫１７６から繰り出された紙幣（すなわち、金種別紙幣収納庫１７６からの紙幣繰り出しが停止された時点で、金種別紙幣収納庫１７６から識別部１７７に至る搬送路上に存在する紙幣）である。
【００５６】
非正常紙幣および後続紙幣の第２の出金口１７２への排出が完了すると、端末装置２０の紙幣処理装置制御部２３０は、表示部２６０を介して、第２の出金口１７２に排出された紙幣（すなわち、非正常紙幣および後続紙幣）を取り出して枚数Ｔを計数し、操作部２５０を介して枚数Ｔを入力することを係員に要求する（ステップＳ２９０）。
【００５７】
第２の出金口１７２に排出された紙幣の枚数Ｔが入力されると、紙幣処理装置制御部２３０は、枚数Ｔと排出処理において計数された第１の出金口１７１へ排出された紙幣の枚数Ｄとの合計である合計既排出枚数（Ｔ＋Ｄ）に基づき、必要排出枚数Ｎの紙幣の排出のためのさらなる排出処理が必要であるか否かを判定する。具体的には、紙幣処理装置制御部２３０は、必要排出枚数Ｎから合計既排出枚数（Ｔ＋Ｄ）を差し引いた特定枚数Ｊ（＝Ｎ−Ｔ−Ｄ）がゼロより大きい場合（すなわち、Ｎ＞Ｔ＋Ｄの場合）には（ステップＳ３００：ＹＥＳ）、入金処理において金種別紙幣収納庫１７６に収納されたが排出処理において未排出である紙幣があり、さらなる排出処理が必要であると判定する。この場合には、紙幣処理装置制御部２３０は、必要排出枚数Ｎを特定枚数Ｊと同数に更新し（ステップＳ３１０）、更新された必要排出枚数Ｎの紙幣の排出のための排出処理を紙幣処理装置１０に開始させる（ステップＳ２５０）。
【００５８】
また、紙幣処理装置制御部２３０は、必要排出枚数Ｎから合計既排出枚数（Ｔ＋Ｄ）を差し引いた特定枚数Ｊ（＝Ｎ−Ｔ−Ｄ）がゼロ以下の場合（すなわち、Ｎ≦Ｔ＋Ｄの場合）には（ステップＳ３００：ＮＯ）、少なくとも入金処理において金種別紙幣収納庫１７６に収納された紙幣はすべて排出済みであり、さらなる排出処理は必要ではないと判定する。このとき、端末装置２０の紙幣処理装置制御部２３０は、表示部２６０を介して、第１の出金口１７１に排出された紙幣と、第２の出金口１７２に排出されたＴ枚の紙幣の内の必要排出枚数Ｎから第１の出金口１７１に排出された紙幣の枚数Ｄを差し引いた枚数（すなわち、（Ｎ−Ｄ）枚）の紙幣と、を返却用紙幣とすることを係員に要求する（ステップＳ３３０）。なお、特定枚数Ｊ（＝Ｎ−Ｔ−Ｄ）がゼロの場合（すなわち、Ｎ＝Ｔ＋Ｄの場合）には（ステップＳ３２０：ＮＯ）、（Ｎ−Ｄ）はＴと同一となるため、第１の出金口１７１に排出されたＤ枚の紙幣すべてと第２の出金口１７２に排出されたＴ枚の紙幣すべてとを返却用紙幣とすることが要求されることとなる（ステップＳ３５０）。一方、特定枚数Ｊ（＝Ｎ−Ｔ−Ｄ）がゼロより大きい場合（すなわち、Ｎ＜Ｔ＋Ｄの場合）には（ステップＳ３２０：ＹＥＳ）、入金処理において金種別紙幣収納庫１７６に収納された紙幣以外の紙幣（元々、金種別紙幣収納庫１７６に収納されていた紙幣）が第２の出金口１７２に排出されたこととなるため、第１の出金口１７１に排出されたＤ枚の紙幣すべてと第２の出金口１７２に排出されたＴ枚の紙幣の一部（すなわち、（Ｎ−Ｄ）枚の紙幣）とを返却用紙幣とすることが要求されることとなる（ステップＳ３３０）。このとき、第２の出金口１７２における排出紙幣の集積態様が、順に上に積み重ねていく上積み集積態様である場合には、下から（Ｎ−Ｄ）枚の紙幣が返却用紙幣となり、反対の下積み集積態様である場合には、上から（Ｎ−Ｄ）枚の紙幣が返却用紙幣となる。このようにすることによって、顧客の紙幣そのものを返却することができる。なお、第２の出金口１７２に排出されたＴ枚の紙幣の内の残り（すなわち、Ｔ−（Ｎ−Ｄ）枚）の紙幣は、金種別紙幣収納庫１７６に戻される。
【００５９】
このように、本実施例の入金キャンセル処理では、必要排出枚数Ｎの設定と、設定された必要排出枚数Ｎの紙幣排出のための排出処理とが、非正常紙幣が検出されることなく必要排出枚数Ｎの正常紙幣の第１の出金口１７１への排出が完了するか、または、特定枚数Ｊ（＝Ｎ−Ｔ−Ｄ）がゼロ以下となるまで、繰り返し実行される。
【００６０】
選択された１つの金種別紙幣収納庫１７６についての紙幣の返却が完了すると、紙幣処理装置制御部２３０は、すべての金種別紙幣収納庫１７６が選択されたか否かを判定し（ステップＳ３６０）、未選択の金種別紙幣収納庫１７６がある場合には、未選択の金種別紙幣収納庫１７６の１つを選択し（ステップＳ２３０）、選択された金種別紙幣収納庫１７６についての必要排出枚数Ｎを設定し（ステップＳ２４０）、選択された金種別紙幣収納庫１７６についての出金処理（ステップＳ２５０〜）を開始する。すべての金種別紙幣収納庫１７６が選択され、すべての金種別紙幣収納庫１７６についての紙幣の返却が完了すると、入金キャンセル処理は終了する。
【００６１】
以上説明したように、第１実施例の紙幣処理システム４０による入金処理の際には、入金口１７３から受け入れられた紙幣を順に搬送しつつ識別部１７７により識別し、１枚の真の紙幣であると識別された正常紙幣を紙幣の種類に対応する金種別紙幣収納庫１７６に直接に収納すると共に、種類または枚数を確定できないか偽の紙幣であると識別された非正常紙幣を第１の出金口１７１に排出する。そのため、第１実施例の紙幣処理システム４０による入金処理では、入金口１７３に投入された紙幣を収納容量の小さい一時保留部に一端収納した後に確定指示を待って金種別紙幣収納庫１７６に収納する場合と比較して、一回の入金処理における取扱可能な紙幣の枚数を増加させることができると共に、紙幣の搬送経路を短縮して処理時間を短縮することができる。また、非正常紙幣が第１の出金口１７１に排出されるため、排出された非正常紙幣を係員が取り出して目視確認を行い、目視確認によって正常紙幣であると判断された場合には係員による手入力で紙幣を確定させることができ、入金処理時間のさらなる短縮を実現することができる。また、第１実施例の紙幣処理システム４０による入金キャンセル処理の際には、各金種別紙幣収納庫１７６について、最初に必要排出枚数Ｎを入金処理時収納枚数Ｍ（ｘ）と同数に設定し、金種別紙幣収納庫１７６からの必要排出枚数Ｎの紙幣の繰り出しと、繰り出された紙幣の識別と、識別された正常紙幣の第１の出金口１７１への排出と、を行う排出処理を開始し、排出処理において必要排出枚数Ｎの正常紙幣の排出完了前に非正常紙幣が検出された場合には、非正常紙幣と後続資紙幣とを第２の出金口１７２に排出し、必要排出枚数Ｎから第１の出金口１７１へ排出された紙幣の枚数Ｄと第２の出金口１７２へ排出された紙幣の枚数Ｔとの合計である合計既排出枚数（Ｔ＋Ｄ）を差し引いた特定枚数Ｊ（＝Ｎ−Ｔ−Ｄ）がゼロより大きい場合には、必要排出枚数Ｎを特定枚数Ｊと同数に更新してさらなる排出処理を開始する。そのため、第１実施例の紙幣処理システム４０による入金キャンセル処理では、非正常紙幣が検出されても、その都度、特定枚数Ｊに基づいてさらなる排出処理を実行すべきか否かの判定が行われることとなるため、返却される紙幣が入金処理において投入された紙幣とは異なる紙幣となる事態を回避し、入金処理において投入された紙幣そのものを返却することが可能となる。従って、第１実施例の紙幣処理システム４０では、一回の入金処理における取扱可能な紙幣枚数の増大および処理時間の短縮を実現することができると共に、入金キャンセル処理の際に、入金処理において受け入れられた紙幣そのものを返却することが可能となる。
【００６２】
また、第１実施例の紙幣処理システム４０は、排出処理において非正常紙幣が検出された場合には、第２の出金口１７２に排出された紙幣の枚数Ｔを計数して入力することを係員に要求するため、第２の出金口１７２に排出された紙幣の枚数Ｔを把握してさらなる排出処理を実行すべきか否かを判定することができる。
【００６３】
また、第１実施例の紙幣処理システム４０は、排出処理において非正常紙幣が検出された場合には、非正常紙幣とすべての後続紙幣とを第２の出金口１７２に排出し、特定枚数Ｊがゼロ以下の場合には、第１の出金口１７１に排出された紙幣と、最後の排出処理において第２の出金口１７２に排出されたＴ枚の紙幣の内の必要排出枚数Ｎから第１の出金口１７１に排出された紙幣の枚数Ｄを差し引いた枚数（すなわち、（Ｎ−Ｄ）枚）の紙幣と、を返却用紙幣とすることを要求するため、金種別紙幣収納庫１７６から必要以上の紙幣が排出された場合であっても入金処理において受け入れられた紙幣のみを返却用紙幣とすることができる。また、金種別紙幣収納庫１７６からの入金処理において収納された紙幣以外の紙幣（元々、金種別紙幣収納庫１７６に収納されていた紙幣）の出金を最小限に抑制することができる。
【００６４】
Ｂ．第２実施例：
図６は、第２実施例における紙幣処理装置１０の紙幣処理機構１７０に関する構成を示す説明図である。第２実施例の紙幣処理装置１０は、紙幣を一時的に収納する一時保留部１７９と１つの回収庫１９２とを有している点が、図３に示した第１実施例の紙幣処理装置１０と異なっている。回収庫１９２は、収納専用庫であり、金種の区別無く紙幣を収納する。また、第２実施例の紙幣処理装置１０の識別部１７７は、紙幣の種類と枚数と真偽とについての識別に加え、紙幣の正損についての識別を行う。ここで、正損についての識別は、紙幣が正券か損券かを判別することである。また、損券は、損傷や汚損の度合が激しく流通に適さない紙幣であり、正券とは損券以外の紙幣である。第２実施例における紙幣処理装置１０のその他の構成は、第１実施例と同様である。
【００６５】
図７は、第２実施例の紙幣処理システム４０による入金処理の流れを示すフローチャートである。第２実施例の入金処理は、紙幣の繰り出し、搬送、識別、収納を行う処理（ステップＳ１２２）の内容が、図４に示した第１実施例の入金処理と異なっている。具体的には、第２実施例の入金処理では、１枚の真の紙幣であると識別された正常紙幣の内、正券であると識別された紙幣（第１の正常紙幣）は紙幣の種類に対応する金種別紙幣収納庫１７６に収納されるが、正常紙幣の内、損券であると識別された紙幣（第２の正常紙幣）は一時保留部１７９に搬送されて収納される。なお、非正常紙幣と識別された紙幣については、第１実施例と同様に、第１の出金口１７１に排出される。
【００６６】
また、第２実施例の入金処理では、第１実施例と同様に、入金口１７３内の紙幣がすべてなくなったことが検出されると、端末装置２０の紙幣処理装置制御部２３０は、係員に入金確定指示を要求する（ステップＳ１３０）。このとき、紙幣処理装置制御部２３０は、例えば、以下の選択肢（１）および（２）のいずれか一方の選択を求める。
（１）出金口に紙幣がある場合はこれを顧客に返却し、金種別紙幣収納庫１７６に収納された金額と一時保留部１７９に収納された金額とで入金を確定させて取引を終了する。
（２）入金取引をキャンセルする。
【００６７】
係員が操作部２５０を介して上記（１）の入金確定を選択した場合には（ステップＳ１４０：ＮＯ）、紙幣処理装置制御部２３０は、紙幣処理装置１０を制御して、一時保留部１７９に収納された紙幣（すなわち、正常紙幣の内の損券であると識別された紙幣）を回収庫１９２に搬送して収納し（ステップＳ１４２）、その後、入金を確定させて入金処理を終了する（ステップＳ１５０）。また、係員が上記（２）の入金キャンセルを選択した場合には（ステップＳ１４０：ＹＥＳ）、以下に説明する入金キャンセル処理が開始される。
【００６８】
図８は、第２実施例の紙幣処理システム４０による入金キャンセル処理の流れを示すフローチャートである。第２実施例の入金キャンセル処理は、最初に、一時保留部１７９に収納された紙幣を出金口に排出する処理（ステップＳ２０２）が行われる点のみが、図５に示した第１実施例の入金キャンセル処理と異なっており、その他の点は第１実施例と同じである。なお、一時保留部１７９から出金口へと排出された紙幣は、取り出し要求（ステップＳ２１０）に応じて係員により取り出される。
【００６９】
以上説明したように、第２実施例の紙幣処理システム４０による入金処理の際には、正常紙幣の内の損券は一時保留部１７９に収納されるが、残りの正常紙幣（すなわち正券）は金種別紙幣収納庫１７６に直接に収納され、非正常紙幣は第１の出金口１７１に排出される。一般に、流通紙幣の内の損券の割合はそれほど高くないと考えられる。そのため、第２実施例の紙幣処理システム４０による入金処理でも、入金口１７３に投入された紙幣を収納容量の小さい一時保留部に一端収納した後に確定指示を待って金種別紙幣収納庫１７６に収納する場合と比較して、一回の入金処理における取扱可能な紙幣の枚数を増加させることができると共に、紙幣の搬送経路を短縮して処理時間を短縮することができる。また、第２実施例の紙幣処理システム４０による入金キャンセル処理の際には、最初に一時保留部１７９に収納された紙幣が第１の出金口１７１に排出されるため、第１実施例と同様に、入金処理において受け入れられた紙幣そのものを返却することができる。また、第２実施例の紙幣処理システム４０では、入金処理の際に、正常紙幣を正券と損券とに分離して収納することができ、入金確定が選択された場合には損券を正券とは分離して回収庫１９２に回収することができる。また、入金キャンセルが選択された場合には、損券が出金口に排出されるため、例えば係員による排出紙幣の目視確認の目的を明確とすることができ、目視確認の認証レベルの向上による精度の高い紙幣管理を実現することができる。
【００７０】
Ｃ．第３実施例：
図９および図１０は、第３実施例の紙幣処理システム４０による入金キャンセル処理の流れを示すフローチャートである。第３実施例の入金キャンセル処理は、以下に詳述するように、排出処理において非正常紙幣が検出されても、その時点での非正常紙幣および後続紙幣はすべて入金処理において収納された紙幣であることとなるように、必要排出枚数Ｎを小さい値に調整しておく点が、図５に示した第１実施例の入金キャンセル処理と異なっている。第３実施例の入金キャンセル処理におけるステップＳ２１０からＳ２３０までの処理内容は、第１実施例と同じである。
【００７１】
第３実施例の入金キャンセル処理では、１つの金種別紙幣収納庫１７６が選択されると（ステップＳ２３０）、紙幣処理装置制御部２３０は、選択された金種別紙幣収納庫１７６について、入金処理時収納枚数Ｍ（ｘ）に基づき調整排出枚数ａＮを算出する（ステップＳ２３２）。本実施例では、調整排出枚数ａＮは、入金処理時収納枚数Ｍ（ｘ）から、後の排出処理において非正常紙幣が検出された場合に想定される非正常紙幣の枚数αと想定される後続紙幣の枚数βとの合計を差し引くことにより算出される。一般に、金種別紙幣収納庫１７６からの紙幣の繰り出しの際に２枚を超える紙幣が重なって繰り出されることはないため、想定される非正常紙幣の枚数αは２以上の値に設定される。例えば、枚数αは４であると設定される。また、想定される後続紙幣の枚数βは、金種別紙幣収納庫１７６からの紙幣の繰り出し間隔と、金種別紙幣収納庫１７６から識別部１７７までの搬送距離に基づき設定される。なお、一般に、金種別紙幣収納庫１７６から識別部１７７までの搬送距離は金種別紙幣収納庫１７６毎に異なるため、枚数βの値も金種別紙幣収納庫１７６毎に異なる値に設定される。ただし、枚数βを、すべての金種別紙幣収納庫１７６に共通の値として、最も安全側の値に設定するものとしてもよい。
【００７２】
入金処理時収納枚数Ｍ（ｘ）が比較的少なく、算出された調整排出枚数ａＮがゼロ以下である場合には（ステップＳ２３４：ＮＯ）、紙幣処理装置制御部２３０は、必要排出枚数Ｎを入金処理時収納枚数Ｍ（ｘ）と同数に設定する（ステップＳ２４６）。その後、処理は図１０のステップＳ４５０に進む。この場合には、選択された金種別紙幣収納庫１７６に関しては、第１実施例の入金キャンセル処理における排出処理と同様の処理が実行される。すなわち、図１０のステップＳ４５０からＳ５５０までの処理内容は、図５のステップＳ２５０からＳ３５０までの処理と同一である。
【００７３】
一方、算出された調整排出枚数ａＮがゼロより大きい場合には（ステップＳ２３４：ＹＥＳ）、紙幣処理装置制御部２３０は、必要排出枚数Ｎを調整排出枚数ａＮと同数に設定し（ステップＳ２４２）、第１実施例と同様の排出処理を開始する（ステップＳ２５０以降）。なお、このとき開始される排出処理を、後述の残枚数Ｒがゼロより大きい場合に実行される第２の排出処理と区別するために、第１の排出処理とも呼ぶものとする。
【００７４】
第１の排出処理において、必要排出枚数Ｎの正常紙幣の第１の出金口１７１への排出完了前に非正常紙幣が検出された場合には（ステップＳ２６０：ＹＥＳ）、第１実施例と同様に、キャンセル処理部１３４は、金種別紙幣収納庫１７６からの紙幣の繰り出しを停止し（ステップＳ２７０）、検出された非正常紙幣を第２の出金口１７２に排出する（ステップＳ２８２）。ただし、第３実施例の入金キャンセル処理では、識別部１７７によって後続紙幣の識別を行い、後続紙幣の内の１枚の真の紙幣であると識別された正常後続紙幣は第１の出金口１７１に排出し、後続紙幣の内の金種または枚数を確定できないか偽の紙幣であると識別された非正常後続紙幣のみを第２の出金口１７２に排出する（ステップＳ２８４）。
【００７５】
ここで、調整排出枚数ａＮがゼロより大きい場合には、調整排出枚数ａＮと同数に設定された必要排出枚数Ｎの紙幣の排出処理中に非正常紙幣が検出されても、その時点での非正常紙幣および後続紙幣はすべて入金処理において金種別紙幣収納庫１７６に収納された紙幣であると想定できる。従って、第３実施例の入金キャンセル処理では、このような場合には、すべての後続紙幣を第２の出金口１７２に排出するのではなく、後続紙幣の内の非正常後続紙幣のみを第２の出金口１７２に排出し、後続紙幣の内の正常後続紙幣は第１の出金口１７１に排出する。その後、第１実施例と同様に、第２の出金口１７２に排出された紙幣の枚数Ｔの計数が要求されるが（ステップＳ２９０）、第２の出金口１７２に排出された紙幣は非正常紙幣と後続紙幣の内の非正常後続紙幣のみであるため、係員による計数の対象となる紙幣の枚数を減らすことができ、処理時間の短縮および処理精度の向上を図ることができる。
【００７６】
その後は、第１実施例と同様に、必要排出枚数Ｎから合計既排出枚数（Ｔ＋Ｄ）を差し引いた特定枚数Ｊ（＝Ｎ−Ｔ−Ｄ）がゼロより大きい場合（すなわち、Ｎ＞Ｔ＋Ｄの場合）には（ステップＳ３００：ＹＥＳ）、必要排出枚数Ｎが特定枚数Ｊと同数に更新され（ステップＳ３１０）、更新された必要排出枚数Ｎの紙幣の排出のための第１の排出処理が開始される（ステップＳ２５０）。
【００７７】
第１の排出処理において、非正常紙幣が検出されることなく必要排出枚数Ｎの紙幣の第１の出金口１７１への排出が完了した場合（ステップＳ３４０）、および、特定枚数Ｊ（＝Ｎ−Ｔ−Ｄ）がゼロ以下の場合には（ステップＳ３００：ＮＯ）、紙幣処理装置制御部２３０は、入金処理時収納枚数Ｍ（ｘ）と、各排出処理において第１の出金口１７１に排出された紙幣の枚数Ｄの累計と第２の出金口１７２に排出された紙幣の枚数Ｔの累計との合計である累計合計既排出枚数（ΣＴ＋ΣＤ）と、を比較して、比較結果に応じた処理を実行する（ステップＳ３０２およびＳ３２２）。
【００７８】
具体的には、紙幣処理装置制御部２３０は、入金処理時収納枚数Ｍ（ｘ）から累計合計既排出枚数（ΣＴ＋ΣＤ）を差し引いた残枚数Ｒ（Ｍ（ｘ）−ΣＴ−ΣＤ）を算出し、残枚数Ｒがゼロ以下である場合（すなわち、Ｍ（ｘ）≦（ΣＴ＋ΣＤ）の場合）には、少なくとも入金処理において金種別紙幣収納庫１７６に収納された紙幣はすべて排出済みであり、さらなる排出処理（後述の第２の排出処理）は必要ではないと判定する。このとき、紙幣処理装置制御部２３０は、第１の出金口１７１に排出された紙幣と、第２の出金口１７２に排出されたΣＴ枚の紙幣の内の入金処理時収納枚数Ｍ（ｘ）から第１の出金口１７１に排出された紙幣の枚数ΣＤを差し引いた枚数（すなわち、（Ｍ（ｘ）−ΣＤ）枚）の紙幣と、を返却用紙幣とすることを係員に要求する（ステップＳ３３２）。なお、残枚数Ｒがゼロの場合（すなわち、Ｍ（ｘ）＝（ΣＴ＋ΣＤ）の場合）には（ステップＳ３２２：ＹＥＳ）、（Ｍ（ｘ）−ΣＤ）はΣＴと同数となるため、第１の出金口１７１に排出された紙幣すべてと第２の出金口１７２に排出された紙幣すべてとを返却用紙幣とすることが要求されることとなる（ステップＳ３５０）。一方、残枚数Ｒがゼロより小さい場合（すなわち、Ｍ（ｘ）＜（ΣＴ＋ΣＤ）の場合）には（ステップＳ３０２：ＹＥＳ）、入金処理において金種別紙幣収納庫１７６に収納された紙幣以外の紙幣（元々、金種別紙幣収納庫１７６に収納されていた紙幣）が第２の出金口１７２に排出されたこととなるため、第１の出金口１７１に排出された紙幣すべてと第２の出金口１７２に排出された紙幣の一部（すなわち、（Ｍ（ｘ）−ΣＤ）枚の紙幣）とを返却用紙幣とすることが要求されることとなる（ステップＳ３３２）。なお、第２の出金口１７２に排出された紙幣の内の残り（すなわち、ΣＴ−（Ｍ（ｘ）−ΣＤ）枚）の紙幣は、金種別紙幣収納庫１７６に戻される。
【００７９】
他方、紙幣処理装置制御部２３０は、残枚数Ｒがゼロより大きい場合（すなわち、Ｍ（ｘ）＞（ΣＴ＋ΣＤ）の場合）には（ステップＳ３２２：ＮＯ）、入金処理において金種別紙幣収納庫１７６に収納されたが第１の排出処理において未排出である紙幣があり、さらなる排出処理が必要であると判定する。なお、残枚数Ｒがゼロより大きい場合に実行される排出処理を第２の排出処理とも呼ぶものとする。この場合には、処理は図１０のステップＳ３７０に進み、紙幣処理装置制御部２３０が、必要排出枚数Ｎを残枚数Ｒと同数に設定し（ステップＳ３７０）、残枚数Ｒの紙幣を排出するための第２の排出処理（ステップＳ４５０からＳ５５０）を紙幣処理装置１０に開始させる。残枚数Ｒの紙幣を排出するための第２の排出処理の内容は、第１実施例の入金キャンセル処理（図５）のステップＳ２５０からＳ３５０までの処理内容と同一である。
【００８０】
選択された１つの金種別紙幣収納庫１７６についての紙幣の排出・返却が完了すると、第１実施例と同様に、すべての金種別紙幣収納庫１７６が選択されたか否かが判定され（ステップＳ３６０）、未選択の金種別紙幣収納庫１７６がある場合には未選択の金種別紙幣収納庫１７６の１つが選択され（ステップＳ２３０）、選択された金種別紙幣収納庫１７６についてステップＳ２３２以降の処理が実行される。すべての金種別紙幣収納庫１７６が選択され、すべての金種別紙幣収納庫１７６についての紙幣の排出・返却が完了すると、入金キャンセル処理は終了する。
【００８１】
以上説明したように、第３実施例の入金キャンセル処理では、第１実施例の入金キャンセル処理と同様に、非正常紙幣が検出されても、その都度、特定枚数Ｊに基づいてさらなる排出処理を実行すべきか否かの判定が行われるため、返却される紙幣が入金処理において投入された紙幣とは異なる紙幣となる事態を回避し、入金処理において投入された紙幣そのものを返却することが可能となる。また、第３実施例の入金キャンセル処理では、入金処理時収納枚数Ｍ（ｘ）から想定枚数αおよびβを差し引いた調整排出枚数ａＮが算出され、調整排出枚数ａＮがゼロより大きい場合には必要排出枚数Ｎが調整排出枚数ａＮと同数に設定されて排出処理が開始されるため、排出処理において非正常紙幣が検出されても、その時点での後続紙幣はすべて入金処理において金種別紙幣収納庫１７６に収納された紙幣であると想定できる。そのため、すべての後続紙幣を第２の出金口１７２に排出するのではなく、後続紙幣の内の非正常後続紙幣のみを第２の出金口１７２に排出し、後続紙幣の内の正常後続紙幣は第１の出金口１７１に排出することにより、係員による計数の対象となる紙幣の枚数を減らすことができ、処理時間の短縮および処理精度の向上を図ることができる。
【００８２】
また、第３実施例の入金キャンセル処理では、非正常紙幣が検出されることなく必要排出枚数Ｎの紙幣の第１の出金口１７１への排出が完了した場合、および、特定枚数Ｊ（＝Ｎ−Ｔ−Ｄ）がゼロ以下の場合には、入金処理時収納枚数Ｍ（ｘ）から累計合計既排出枚数（ΣＴ＋ΣＤ）を差し引いた残枚数Ｒ（Ｍ（ｘ）−ΣＴ−ΣＤ）が算出され、残枚数Ｒがゼロより大きい場合には、必要排出枚数Ｎが残枚数Ｒと同数に設定されて第２の排出処理が開始されるため、入金キャンセル処理の最初に必要排出枚数Ｎを調整排出枚数ａＮと同数に設定して排出処理（第１の排出処理）を実行しても、最終的に、入金処理において金種別紙幣収納庫１７６に収納された紙幣のすべてを排出・返却することができる。また、残枚数Ｒがゼロ以下である場合には、第１の出金口１７１に排出された紙幣と、第２の出金口１７２に排出されたΣＴ枚の紙幣の内の（Ｍ（ｘ）−ΣＤ）枚の紙幣と、を返却用紙幣とすることが要求されるため、金種別紙幣収納庫１７６から必要以上の紙幣が排出された場合であっても入金処理において金種別紙幣収納庫１７６に収納された紙幣のみを返却用紙幣とすることができる。また、金種別紙幣収納庫１７６からの入金処理において収納された紙幣以外の紙幣（元々、金種別紙幣収納庫１７６に収納されていた紙幣）の出金を最小限に抑制することができる。
【００８３】
Ｄ．第４実施例：
図１１は、第４実施例の紙幣処理システム４０による入金キャンセル処理の流れを示すフローチャートである。第４実施例の入金キャンセル処理は、以下に詳述するように、第１の排出処理において所定の場合には第２の出金口１７２に排出された紙幣の枚数Ｔが計数されるのではなく、枚数Ｔの推定値が用いられる点が、図９に示した第３実施例の入金キャンセル処理と異なっている。第４実施例の入金キャンセル処理におけるステップＳ２１０からＳ２８４までの処理内容は、第３実施例と同じである。
【００８４】
第４実施例の入金キャンセル処理では、第１の排出処理において、必要排出枚数Ｎの正常紙幣の第１の出金口１７１への排出完了前に非正常紙幣が検出され（ステップＳ２６０：ＹＥＳ）、紙幣の繰り出しの停止（ステップＳ２７０）、非正常紙幣の第２の出金口１７２への排出（ステップＳ２８２）、正常後続紙幣の第１の出金口１７１への排出および非正常後続紙幣の第２の出金口１７２への排出（ステップＳ２８４）が行われると、紙幣処理装置制御部２３０は、第２の出金口１７２へ排出された紙幣の枚数Ｔを、第２の出金口１７２への排出回数ｍと非正常紙幣（非正常後続紙幣含む）が検出された場合に想定される非正常紙幣の枚数αとの積に等しいと推定する（ステップＳ２９２）。
【００８５】
枚数Ｔが推定されると、紙幣処理装置制御部２３０は、第３実施例と同様に、必要排出枚数Ｎから合計既排出枚数（Ｔ＋Ｄ）を差し引いた特定枚数Ｊ（＝Ｎ−Ｔ−Ｄ）がゼロより大きいか否かによって、さらなる第１の排出処理を行うか否かを判定する（ステップＳ３００）。さらなる第１の排出処理においても、非正常紙幣が検出されると、第２の出金口１７２へ排出された紙幣の枚数Ｔの計数ではなく推定が行われる。
【００８６】
第１の排出処理において、非正常紙幣が検出されることなく必要排出枚数Ｎの紙幣の第１の出金口１７１への排出が完了した場合（ステップＳ３４０）、および、特定枚数Ｊ（＝Ｎ−Ｔ−Ｄ）がゼロ以下の場合には（ステップＳ３００：ＮＯ）、紙幣処理装置制御部２３０は、第２の出金口１７２に排出された紙幣（すなわち、非正常紙幣および非正常後続紙幣）を取り出して枚数Ｔを計数し、操作部２５０を介して枚数Ｔを入力することを係員に要求する（ステップＳ３０１）。これにより、初めて、第２の出金口１７２へ排出された紙幣の枚数Ｔが正確に把握される。その後は、第３実施例と同様に、入金処理時収納枚数Ｍ（ｘ）と累計合計既排出枚数（ΣＴ＋ΣＤ）とが比較され（ステップＳ３０２，Ｓ３２２）、比較結果に応じた処理が実行される。
【００８７】
以上説明したように、第４実施例の入金キャンセル処理では、第１の排出処理において非正常紙幣が検出されると、第２の出金口１７２に排出された紙幣の枚数Ｔが計数されるのではなく推定され、推定された枚数Ｔに基づき、さらなる第１の排出処理の実行要否が判定される。そして、非正常紙幣が検出されることなく必要排出枚数Ｎの紙幣の第１の出金口１７１への排出が完了するか、または、特定枚数Ｊ（＝Ｎ−Ｔ−Ｄ）がゼロ以下となってさらなる第１の排出処理は不要であると判定されると、初めて、第２の出金口１７２に排出された紙幣の枚数Ｔの計数が要求される。そのため、第４実施例の入金キャンセル処理では、係員による第２の出金口１７２に排出された紙幣の枚数Ｔの計数回数を最小限に減らすことができ、処理時間の短縮および処理精度の向上を図ることができる。
【００８８】
Ｅ．第５実施例：
図１２は、第５実施例の紙幣処理システム４０による入金キャンセル処理の流れを示すフローチャートである。第５実施例の入金キャンセル処理は、以下に詳述するように、第１の排出処理において非正常紙幣が検出された場合でも直ちに金種別紙幣収納庫１７６からの紙幣の繰り出しを停止しない点が、図１１に示した第４実施例の入金キャンセル処理と異なっている。第５実施例の入金キャンセル処理におけるステップＳ２１０からＳ２６０までの処理内容は、第４実施例と同じである。
【００８９】
第５実施例の入金キャンセル処理では、第１の排出処理において、必要排出枚数Ｎの正常紙幣の第１の出金口１７１への排出完了前に非正常紙幣が検出されても（ステップＳ２６０：ＹＥＳ）、金種別紙幣収納庫１７６からの紙幣の繰り出しは停止されず、非正常紙幣の第２の出金口１７２への排出（ステップＳ２８２）、正常後続紙幣の第１の出金口１７１への排出および非正常後続紙幣の第２の出金口１７２への排出（ステップＳ２８４）、第２の出金口１７２へ排出された紙幣の枚数Ｔの推定（ステップＳ２９２）が行われ、特定枚数Ｊ（＝Ｎ−Ｔ−Ｄ）に基づいて、さらなる第１の排出処理を行うか否かの判定が行われる（ステップＳ３００）。さらなる第１の排出処理が必要であると判定されると、必要排出枚数Ｎが更新設定され、新たな第１の排出処理が開始される。特定枚数Ｊ（＝Ｎ−Ｔ−Ｄ）がゼロ以下となり、さらなる第１の排出処理は必要でないと判定されると、初めて、金種別紙幣収納庫１７６からの紙幣の繰り出しが停止される（ステップＳ３０３）。すなわち、第５実施例では、第１の排出処理金において非正常紙幣が検出されてから次の紙幣の繰り出しまでの期間に、ステップＳ２８２，Ｓ２８４，Ｓ２９２，Ｓ３００，Ｓ３１０の処理が実行される。なお、紙幣の繰り出し停止の後は、第４実施例と同様に、第２の出金口１７２に排出された紙幣の枚数Ｔの計数が要求され（ステップＳ３０１）、入金処理時収納枚数Ｍ（ｘ）と累計合計既排出枚数（ΣＴ＋ΣＤ）とが比較され（ステップＳ３０２，Ｓ３２２）、比較結果に応じた処理が実行される。
【００９０】
以上説明したように、第５実施例の入金キャンセル処理では、第１の排出処理において非正常紙幣が検出された場合でも、その都度、金種別紙幣収納庫１７６からの紙幣の繰り出しが停止されず、第２の出金口１７２に排出された紙幣の枚数Ｔの推定と推定値を用いたさらなる排出処理の要否判定とが行われるため、紙幣の繰り出し停止回数を最小限に減らすことができ、処理時間の短縮および処理精度の向上を図ることができる。
【００９１】
Ｆ．変形例：
なお、この発明は上記の実施例や実施形態に限られるものではなく、その要旨を逸脱しない範囲において種々の態様において実施することが可能であり、例えば次のような変形も可能である。
【００９２】
上記各実施例における紙幣処理システム４０の構成は、あくまで一例であり、種々に変形可能である。例えば、上記各実施例では、紙幣処理装置１０は、第１の出金口１７１と第２の出金口１７２との２つの出金口を有しているとしているが、紙幣処理装置１０が３つ以上の出金口を有しているとしてもよい。この場合には、入金処理の際に非正常紙幣を排出する出金口を第１の出金口１７１および第２の出金口１７２とは別の出金口とすることができ、入金キャンセル処理の最初に出金口の紙幣の取り出しを要求するステップ（図５のステップＳ２１０等）を省略することができる。
【００９３】
また、紙幣処理装置１０が１つの出金口（第１の出金口１７１）のみを有しているとしてもよい。図１３は、変形例における紙幣処理装置１０の構成を示す説明図である。図１３に示す変形例の紙幣処理装置１０は、出金口として第１の出金口１７１のみを有し、第２の出金口１７２を有さない点が、図６に示した第２実施例の紙幣処理装置１０と異なっている。図１３に示す紙幣処理装置１０を用いた入金処理は、図７に示した第２実施例の入金処理と同様に実行される。また、図１３に示す紙幣処理装置１０を用いた入金キャンセル処理は、図８に示した第２実施例の入金キャンセル処理と同様に実行される。ただし、図１３に示す紙幣処理装置１０を用いた入金キャンセル処理では、一時保留部１７９が、第２実施例における第１の出金口１７１の代わりとして利用され、第１の出金口１７１が第２実施例における第２の出金口１７２の代わりとして利用される。すなわち、正常紙幣であると判定された紙幣は一時保留部１７９に収納され、非正常紙幣であると判定された紙幣は第１の出金口１７１に排出される。そして、処理の最後に、一時保留部１７９に収納された紙幣が第１の出金口１７１に排出される。このようにすれば、紙幣処理装置１０が１つのみの出金口を有する場合であっても、正常紙幣と非正常紙幣とを分離して収納・排出することができ、入金キャンセル処理の際に、入金処理において収納された紙幣そのものを返却することができる。
【００９４】
また、上記各実施例の入金処理および入金キャンセル処理における紙幣処理装置１０の制御部１１０と端末装置２０の制御部２１０との役割分担は任意に変更可能である。また、上記各実施例では、紙幣処理装置１０と端末装置２０とにより紙幣処理システム４０が構成されているが、紙幣処理装置１０が端末装置２０の機能を含み、紙幣処理装置１０単独で（紙幣処理装置１０の制御部１１０の制御の下で）入金処理および入金キャンセル処理を実行するものとしてもよい。
【００９５】
また、上記各実施例では、紙幣を取り扱う紙幣処理装置１０を備える紙幣処理システム４０について説明したが、本発明は、紙幣以外の紙葉類（例えば商品券、小切手、旅行小切手、チケット）を取り扱う紙葉類処理装置および紙葉類処理装置を備える紙葉類処理システムにも適用可能である。
【００９６】
また、上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【符号の説明】
【００９７】
１０…紙幣処理装置
２０…端末装置
３０…伝送線
４０…紙幣処理システム
１１０…制御部
１２０…業務処理部
１３０…紙幣処理部
１３２…入金処理部
１３４…キャンセル処理部
１５０…操作部
１６０…表示部
１７０…紙幣処理機構
１７１…第１の出金口
１７２…第２の出金口
１７３…入金口
１７４…センサ
１７５…搬送機構
１７６…金種別紙幣収納庫
１７７…識別部
１７８…ゲート
１７９…一時保留部
１８０…通信インタフェース
１９２…回収庫
２１０…制御部
２３０…紙幣処理装置制御部
２５０…操作部
２６０…表示部
２８０…通信インタフェース
【図１】
0005543295.tif 000002
【図２】
0005543295.tif 000003
【図３】
0005543295.tif 000004
【図４】
0005543295.tif 000005
【図５】
0005543295.tif 000006
【図６】
0005543295.tif 000007
【図７】
0005543295.tif 000008
【図８】
0005543295.tif 000009
【図９】
0005543295.tif 000010
【図１０】
0005543295.tif 000011
【図１１】
0005543295.tif 000012
【図１２】
0005543295.tif 000013
【図１３】
0005543295.tif 000014